(57)【特許請求の範囲】
【請求項１】
軸線方向と直交する方向に並設された複数本の細い響線と、これらの響線の端部を保持する一対のプレートとを備え、ドラムヘッドに対して接離されるドラム用響線において、
前記プレートを表面側が凸となるように山形に折り曲げ形成し、その基端側の裏面に下面がドラムヘッドに接触する凸部を設け、先端側の裏面に同じく下面がドラムヘッドに接触する固定部を設けてなり、
前記固定部の下面からプレートの先端側表面までの厚みを、前記凸部の下面からバンドの厚みを含むプレートの基端側表面までの厚みと略等しくするかまたは基端側より薄くすることにより、前記固定部の下面先端をドラムヘッドに接触させるようにしたことを特徴とするドラム用響線。
【請求項２】
軸線方向と直交する方向に並設された複数本の細い響線と、これらの響線の端部を保持する一対のプレートとを備え、ドラムヘッドに対して接離されるドラム用響線において、
前記プレートを表面側が凸となるように山形に折り曲げ形成し、その基端側の裏面に下面がドラムヘッドに接触する折曲部を設け、先端側の裏面に同じく下面がドラムヘッドに接触する固定部を設け、
前記固定部の下面からプレートの先端側表面までの厚みを、前記折曲部の下面からプレートの基端側表面までの厚みと略等しくするかまたは基端側より薄くすることにより、前記固定部の下面先端をドラムヘッドに接触させるようにしたことを特徴とするドラム用響線。
【請求項３】
請求項１または２記載のドラム用響線を備えたことを特徴とするドラム。
【発明の詳細な説明】
【０００１】
【発明の属する技術分野】
本発明は、スネアードラム、マーチングドラム、バスドラム、タムタム等のドラムに用いられるドラム用響線およびドラムに関する。
【０００２】
【従来の技術】
スネアードラムは、ドラム用響線をドラムヘッドに対して選択的に接触離間させることにより、ドラムヘッドの振動をドラム用響線に伝えて楽器に特有なぱらぱらという軽快な音色をもたらす、いわゆるタブリング効果と称する特殊音響効果が得られるようにしている（実公昭５８−５０３７２号公報等）。
【０００３】
図４は従来のドラム用響線を示す平面図、図５はドラム用響線をドラムに装着した状態の要部を示す断面図である。これらの図において、１はドラムの胴本体、２は胴本体１の開口部に張設された裏面側のドラムヘッド、３はドラムヘッド２の表面に装着されたドラム用響線、４はヘッド枠、５は締枠、６はドラム用響線３をドラムヘッド２に対して接離させるバッケン機構である。
【０００４】
前記ドラム用響線３は、軸線方向と直交する方向に並設された複数本の細いコイル状の響線１１と、これらの響線１１の端部を保持する一対のバンド付きプレート１２，１２（一方のみ図示）とを備え、各プレート１２のバンド１３が前記バッケン機構６に連結されている。響線１１の端部はプレート１１の裏面先端部に半田付けによって接合されており、この半田部が響線１１の固定部を構成している。なお、前記バンド１３はプレート１１の基端側に接続されている。
【０００５】
このような構造からなるドラム用響線３を使用して演奏するときは、バッケン機構６のローラ１５をドラムヘッド２の表面より下方に引き下げるとともに響線１１に張力を付与することにより、響線１１をドラムヘッド２の表面に接触させる。
【０００６】
【発明が解決しようとする課題】
ドラムヘッド２と響線１１の衝突音の音量はドラムヘッド２と響線１１の接触量に比例するため、衝突音の音量を増大させるためには、響線１１を長さ方向の略全域にわたってドラムヘッド２に接触させ、接触量を増大させる必要がある。また、長さ方向の全域にわたって略均一に接触することが望ましい。
しかしながら、従来のドラム用響線３は図５に示すように、プレート１２の先端側は半田付けによって響線１１の端部が接続されていることから先端１２ａ側の厚さが基端１２ｂ側の厚さに比べて厚くなっている。このため、バッケン機構６によってバンド１３を引き下げるとともに響線１１に張力を付与することにより、響線１１をドラムヘッド２の表面に接触させたとき、プレート１２の基端１２ｂ側が沈み込んでバンド１３の先端部下面と固定部１４の基端１４ａがドラムヘッド２の表面に接触し、固定部１４の先端１４ｂ側がドラムヘッド２の表面から浮き上がってしまう。この結果、響線１１の前記固定部１４に近い端部１１ａがドラムヘッド２の表面から浮き上がって良好な密着が得られず、ドラムヘッド２との接触量を増大させることができないという問題があった。
【０００７】
本発明は上記した従来の問題を解決するためになされたもので、その目的とするところは、ドラムヘッドに対して響線を長さ方向の全域にわたって密着させることができるようにしたドラム用響線およびドラムを提供することにある。
【０００８】
【課題を解決するための手段】
上記目的を達成するために第１の発明に係るドラム用響線は、軸線方向と直交する方向に並設された複数本の細い響線と、これらの響線の端部を保持する一対のプレートとを備え、ドラムヘッドに対して接離されるドラム用響線において、前記プレートを表面側が凸となるように山形に折り曲げ形成し、その基端側の裏面に下面がドラムヘッドに接触する凸部を設け、先端側の裏面に同じく下面がドラムヘッドに接触する固定部を設けてなり、前記固定部の下面からプレートの先端側表面までの厚みを、前記凸部の下面からバンドの厚みを含むプレートの基端側表面までの厚みと略等しくするかまたは基端側より薄くすることにより、前記固定部の下面先端をドラムヘッドに接触させるようにしたものである。
【０００９】
第１の発明においては、プレートの先端側と基端側の厚さを略等しくするかまたは先端側を基端側より薄くなるようにすることで、プレートの基端側の沈み込みを防止することができ、響線の端部をドラムヘッドに対して良好に密着させることができる。
【００１０】
第２の発明に係るドラム用響線は、軸線方向と直交する方向に並設された複数本の細い響線と、これらの響線の端部を保持する一対のプレートとを備え、ドラムヘッドに対して接離されるドラム用響線において、前記プレートを表面側が凸となるように山形に折り曲げ形成し、その基端側の裏面に下面がドラムヘッドに接触する折曲部を設け、先端側の裏面に同じく下面がドラムヘッドに接触する固定部を設け、前記固定部の下面からプレートの先端側表面までの厚みを、前記折曲部の下面からプレートの基端側表面までの厚みと略等しくするかまたは基端側より薄くすることにより、前記固定部の下面先端をドラムヘッドに接触させるようにしたものである。
【００１１】
第２の発明においては、同じくプレートの基端側の沈み込みを防止することができ、響線の端部をドラムヘッドに対して良好に密着させることができる。
【００１２】
第３の発明に係るドラム用響線は、プレートを表面側が凸となるように山形に折り曲げたものである。
第４の発明に係るドラムは、上記第１、第２、第３のうちのいずれか１つの発明に係るドラム用響線を備えたものである。
【００１３】
第４の発明においては、ドラムヘッドに対して響線を良好に密着させることができるドラムが得られる。
【００１４】
【発明の実施の形態】
以下、本発明を図面に示す実施の形態に基づいて詳細に説明する。
図１は本発明に係るドラム用響線を備えたスネアードラムの外観斜視図、図２はコイル状の響線の使用状態を示す要部の断面図である。なお、従来技術の欄で示した構成部材、部分等と同一のものについては同一符号をもって示し、その説明を適宜省略する。本実施の形態においては、裏面側ドラムヘッドの表面にドラム用響線を装着したスネアードラムに適用した例を示す。
【００１５】
全体を符号２０で示すスネアードラムは、両端が開放した円筒状の胴本体１を備え、その両端開口部に図示しない表面側（打面側）ドラムヘッドと、裏面側（非打面側）ドラムヘッド２をそれぞれ張設している。これらのドラムヘッドは、動物の皮革からなる天然皮革またはポリエステル、ポリカーボネート等の合成樹脂製フィルムによって形成され、外周縁部が環状のヘッド枠４によってそれぞれ保持されている。また、各ドラムヘッドのヘッド枠４は前記胴本体１の各開口部の外周に嵌装され、さらにこれらのヘッド枠４を環状の締枠５によって覆っている。
【００１６】
前記締枠５は、前記胴本体１の外周に取付けた複数個のラグ２１に締めボルト２２を介してそれぞれ連結されており、これらの締めボルト２２を回転させて２つの締枠５を互いに接近または離間させることにより、各ドラムヘッドの張力が調節されるように構成されている。すなわち、締めボルト２２を締め付けて締枠５，５を胴本体１の中央側に移動させると、締枠５，５が各ドラムヘッドのヘッド枠４を押圧して胴本体１の中央側に移動させるため、各ドラムヘッドの張力は大きくなる。反対に締めボルト２２を緩めると、締め枠５，５のヘッド枠４に対する押圧力が減少するためドラムヘッドの張力は小さくなる。
【００１７】
前記裏面側のドラムヘッド２の表面にはドラム用響線２５が装着されている。このドラム用響線２５は、軸線と直交する方向で、かつ同一平面上に一定の間隔（例えば、２．９ｍｍ）をおいて配列された細い複数本（１０〜３０本）の響線１１と、これらの響線１１の各端をそれぞれ保持する２つのバンド付きプレート１２，１２とで構成されている。
【００１８】
響線１１としては、細いコイル状のスチール線が用いられ、端部が前記プレート１２の先端部の裏面に半田付けによって接合されており、この半田部が固定部１４を形成している。固定部１４は、断面形状が略矩形状を呈しプレート１２の略全幅にわたって延在している。
【００１９】
前記プレート１２は金属製で、前記響線１１をドラムヘッド２に接触させた使用状態において、先端１２ａ側と基端１２ｂ側の厚みＴ1 ，Ｔが略等しいかまたは先端１２ａ側の厚みＴ1 が基端１２ｂ側の厚みＴより低くなるように構成されている。この場合、本実施の形態においては、プレート１２を表面側が凸となるように山形に折り曲げ形成するとともに、プレート１２の基端側の裏面に凸部２６を突設し、この凸部２６の厚さを前記固定部１４の厚さと略等しいかまたはこれより大きく設定している。このような凸部２６は、プレート１２の表面側を凹ませて裏面側に突出させたり、図３に示すようにプレート１２の一部を裏面側に打ち出してＬ字状に折り曲げ、この折曲部２７を凸部として用いるようにしたり、あるいはインサート成形等によってプラスチック製の凸部を一体に設けるようにしてもよい。なお、図２においてプレート１２の先端１２ａ側の厚みＴ1 は、プレート１１自体の板厚と固定部１４の厚みを含む寸法で、バンド１３のプレート１２の基端１２ｂ側の厚みＴは、プレート１１自体の板厚、バンド１３の厚さおよび凸部２６の厚みを含む寸法である。図３において、プレート１２の先端１２ａ側の厚みＴ1 は、プレート１１自体の板厚と固定部１４の厚みを含む寸法で、プレート１２の基端１２ｂ側の厚みＴは、折曲部２７の下面からプレート１１自体の上面までの寸法である。また、図２および図３に示す実施の形態においては、先端１２ａ側の厚みＴ1 を基端１２ｂ側の厚みＴより薄くした例をそれぞれ示している。
【００２０】
このようなドラム用響線２５は、各プレート１２，１２に取付けたバンド１３，１３を前記胴本体１の外周に取付けた２つのバッケン機構６にそれぞれ連結することにより、従来のドラム用響線と同様に裏面側のドラムヘッド２に対して装着され、不使用時においてはドラムヘッド２から離間させ非接触状態に保持され、使用時にレバー２８の操作によってドラムヘッド２側に引き下げられることにより、響線１１がドラムヘッド２の表面に接触されるように構成されている。したがって、この接触状態で表面側のドラムヘッドを打撃すると、その振動が裏面側のドラムヘッド２を介して響線１１に伝達され、楽器に特有なパラパラという軽快な音色の特殊音響効果が得られる。
【００２１】
ここで、本発明においては、ドラム用響線２５を引き下げたとき、プレート１２の基端部の裏面に突設した凸部２６をドラムヘッド２の表面に接触させるようにしているので、プレート１２の基端１２ｂが沈み込まず、図２に示すように固定部１４の下面先端１４ｂをドラムヘッド２の表面に接触させることができる。したがって、響線１１のプレート１２に近い端部１１ａがドラムヘッド２の表面から浮き上がらず長さ方向の略全域にわたって良好に密着し、接触量を増大させることができる。また、接触量が増大すれば、ドラムヘッド２と響線１１の衝突音の音量を図５に示した従来のドラム用響線３に比べて増大させることができる。
【００２２】
なお、上記した実施の形態においてはコイル状の響線１１を用いたドラム用響線２５に適用した例を示したが、本発明はこれに何ら限定されるものではなく、直線状の響線を用いたドラム用響線にも適用することができる。
【００２３】
【発明の効果】
以上説明したように本発明に係るドラム用響線およびドラムは、プレートの基端側の沈み込みを防止する構造としたので、響線の端部がドラムヘッドから浮き上がらず、良好に密着させることができ、ドラムとの接触点を増大させることができる。したがって、音量の大きな特殊演奏効果を得ることができる。
また、プレートの基端部の裏面に凸部または折曲部を設け、先端部の裏面に固定部を設けるだけでよいので、構造が簡単で、容易に製作することができる。
【図面の簡単な説明】
【図１】  本発明に係るドラム用響線を備えたスネアードラムの外観斜視図である。
【図２】  コイル状の響線の使用状態を示す要部の断面図である。
【図３】  プレートの他の実施の形態を示す断面図である。
【図４】  従来のドラム用響線の平面図である。
【図５】  ドラム用響線の使用状態における要部を示す断面図である。
【符号の説明】
１…胴本体、２…裏面側のドラムヘッド、１１…響線、１２…プレート、１３…バンド、１４…固定部、２５…ドラム用響線、２６…凸部。
【図１】
0003753085.tif 000002
【図２】
0003753085.tif 000003
【図３】
0003753085.tif 000004
【図４】
0003753085.tif 000005
【図５】
0003753085.tif 000006